(57)【要約】【課題】椅子の組み立て工程、例えばボルト止めなどの作業を簡素化できるばかりか、安全かつ正確な組み立て作業が可能となる構造の椅子を提供する。【解決手段】脚体４と、該脚体４に回動可能に支持される背凭れ支持杆９と、該背凭れ支持杆９に装着される支持フレーム１８を有する背凭れ１０と、を備える椅子１であって、前記支持フレーム１８は少なくとも下方位置に凹部３３を備える下側支持フレーム２２を有しており、前記背凭れ支持杆９の先端部に形成される凸部３４が、前記下側支持フレーム１８に形成された前記凹部３３に係合することによって、前記下側支持フレーム２２が前記背凭れ支持杆９に仮固定される。【選択図】図４
2014083129.tif 000002
【特許請求の範囲】
【請求項１】
脚体と、該脚体に回動可能に支持される背凭れ支持杆と、該背凭れ支持杆に装着される支持フレームを有する背凭れと、を備える椅子であって、
前記支持フレームは少なくとも下方位置に凹部を備える下側支持フレームを有しており、前記背凭れ支持杆の先端部に形成される凸部が、前記下側支持フレームに形成された前記凹部に係合することによって、前記下側支持フレームが前記背凭れ支持杆に仮固定されることを特徴とする椅子。
【請求項２】
前記下側支持フレームの凹部と前記背凭れ支持杆の端部から延びる凸部とが、少なくとも前記下側支持フレームが前記背凭れ支持杆に対して前後方向へ所定の範囲で傾動可能になるように遊嵌状態で凹凸係合されることを特徴とする請求項１に記載の椅子。
【請求項３】
前記凸部が、第１斜面部と、該第１斜面部の略中央位置に設けられ該第１斜面部よりも傾斜角が大きい第２斜面部とから成り、前記凹部が、前記第１斜面部に当接可能な第３斜面部と、該第３斜面部の略中央位置に設けられ該第３斜面部よりも傾斜角が大きく、前記第２斜面部に当接可能な第４斜面部とから成り、前記凸部と前記凹部とが遊嵌状態で凹凸係合されることを特徴とする請求項１または２に記載の椅子。
【請求項４】
前記下側支持フレームの前記凹部と前記背凭れ支持杆の端部から延びる前記凸部とが、少なくとも前記下側支持フレームが前記背凭れ支持杆に対して左右方向へ所定の範囲で移動可能になるように遊嵌状態で凹凸係合されることを特徴とする請求項１ないし３のいずれかに記載の椅子。
【発明の詳細な説明】
【技術分野】
【０００１】
本発明は、脚体と、該脚体側に回動可能に支持され後方へ延びる背凭れ支持杆と、そして該背凭れ支持杆に装着される支持フレームを有する背凭れとを備える椅子に関する。
【背景技術】
【０００２】
脚体側に回動可能に支持され後方へ延びる背凭れ支持杆、そして該背凭れ支持杆に装着される支持フレームを有する背凭れ等を備える椅子にあっては、前記回動移動をスプリングで付勢し種々の動きと機能性を持たせたることができる。そのため、これら椅子にあってはその構造が複雑化し、かつ強度も必要なことから鋳物材などの強度材がその芯部に利用され、加工精度も要求されている。これら椅子は、例えば下記特許文献に開示されるものが公知である。
【先行技術文献】
【特許文献】
【０００３】
【特許文献１】特開２００８−１０４５２２号公報
【発明の概要】
【発明が解決しようとする課題】
【０００４】
これらの椅子においては、横リブの下枠部の前面より前方に向けて突起を一体的に設けて背支杆接続部が形成され、この突起を背支杆（背凭れ支持杆）の延出端に開口する第１の内側開口部にテーパ嵌合させて仮固定状態とし、この仮固定状態で背支杆と支基との軸結合を行うものである。そして背支杆と支基とを軸結合させた後、突起の一部に設けた貫通孔に内側からボルトを差し込んで背支杆の雌ネジ部に締着するようにして椅子を組み立てるものである。
【０００５】
しかし、特許文献１に記載の組み立て方法にあっては、横リブの下枠部の前面より前方に向けて設けられた突起に対して背支杆を外方から近接させて両者の嵌合を行い、この位置で背支杆と支基とを軸結合させるため、横リブの下枠部の前面より前方に向けて設けられた突起から背支杆が落下し危険な作業になるとともに、正確な組み立て作業が行えない虞があった。
【０００６】
本発明は、上記の問題に鑑み、椅子の組み立て工程、例えばボルト止めなどの作業を簡素化できるばかりか、安全かつ正確な組み立て作業が可能となる構造の椅子を提供することを目的とする。
【課題を解決するための手段】
【０００７】
前記課題を解決するために、本発明の椅子は、
脚体と、該脚体に回動可能に支持される背凭れ支持杆と、該背凭れ支持杆に装着される支持フレームを有する背凭れと、を備える椅子であって、
前記支持フレームは少なくとも下方位置に凹部を備える下側支持フレームを有しており、前記背凭れ支持杆の先端部に形成される凸部が、前記下側支持フレームに形成された前記凹部に係合することによって、前記下側支持フレームが前記背凭れ支持杆に仮固定されることを特徴としている。
この特徴によれば、背凭れ支持杆の先端部に形成される凸部と下側支持フレームに形成された凹部との凹凸係合により、背凭れ支持杆が下側支持フレームを確実に支持して、前記下側支持フレームが前記背凭れ支持杆に対して安定的に仮固定状態になる。そのため、椅子の組み立て工程において、脚体側に背凭れ支持杆を連結したのち、この背凭れ支持杆に対して前記下側支持フレームを凹凸係合させるだけで、例えばボルト止めなどの作業を簡素化できるばかりか、安全かつ正確な組み立て作業が可能となる。
【０００８】
本発明の椅子は、
前記下側支持フレームの凹部と前記背凭れ支持杆の端部から延びる凸部とが、少なくとも前記下側支持フレームが前記背凭れ支持杆に対して前後方向へ所定の範囲で傾動可能になるように遊嵌状態で凹凸係合されることを特徴としている。
この特徴によれば、前記下側支持フレームを前記背凭れ支持杆に上方から載置することにより、両者が前後方向に遊嵌された状態で凹凸係合されることになる。そのため、例えば椅子の組み立て工程において、前記支持フレームを所定の範囲で傾動調整させながらボルト止めなどの固定作業を行えるため、安全かつ正確な組み立て作業が可能となる。
【０００９】
本発明の椅子は、
前記凸部が、第１斜面部と、該第１斜面部の略中央位置に設けられ該第１斜面部よりも傾斜角が大きい第２斜面部とから成り、前記凹部が、前記第１斜面部に当接可能な第３斜面部と、該第３斜面部の略中央位置に設けられ該第３斜面部よりも傾斜角が大きく、前記第２斜面部に当接可能な第４斜面部とから成り、前記凸部と前記凹部とが遊嵌状態で凹凸係合されることを特徴としている。
この特徴によれば、前記凸部の第１斜面部と前記凹部の第３斜面部との滑り作用で両者の傾動が所定範囲で許容されるものの、前記凸部の第２斜面部と前記凹部の第４斜面部との係合で当該所定範囲以上の傾動が阻止されるため、前記下側支持フレームを前記背凭れ支持杆に対して当該所定範囲内で傾動調整させながら安全かつ正確な組み立て作業が可能となる。
【００１０】
本発明の椅子は、
前記下側支持フレームの前記凹部と前記背凭れ支持杆の端部から延びる前記凸部とが、少なくとも前記下側支持フレームが前記背凭れ支持杆に対して左右方向へ所定の範囲で移動可能になるように遊嵌状態で凹凸係合されることを特徴としている。
この特徴によれば、前記下側支持フレームを前記背凭れ支持杆に上方から載置する際に、前記下側支持フレームと前記背凭れ支持杆とが左右方向に若干ずれた状態であっても、両者が容易に凹凸係合され、最終固定時に両者の位置調整がされることになる。
【図面の簡単な説明】
【００１１】
【図１】実施例１における椅子を示す正面図である。
【図２】椅子を示す側面図である。
【図３】支持フレームおよび背凭れ支持杆を示す下方斜視図である。
【図４】支持フレームおよび背凭れ支持杆を示す上方斜視図である。
【図５】図４における支持杆のＡ−Ａ断面を示す側断面図である。
【図６】図４における支持杆のＢ−Ｂ断面の後方側を示す側断面図である。
【発明を実施するための形態】
【００１２】
本発明に係る椅子を実施するための形態を実施例に基づいて以下に説明する。
【実施例】
【００１３】
実施例に係る椅子につき、図１から図６を参照して説明する。先ず図１の符号１は、本発明の適用された椅子である。
【００１４】
椅子１は、先端部にキャスタ２を備える放射状をなす５本の脚杆３を有する脚体４と、脚体４の中央に立設され、内部にガススプリング（図示略）が収容された伸縮式の脚柱５と、脚柱５の上端に後端部が固着された正面上方を向く支基６と、支基６の上方に支持された座７と、左右方向に延び前後方向に回動可能な軸８をもって支基６の左右両側にそれぞれ枢着され後方に延びる背凭れ支持杆９と、背凭れ支持杆９の後端上部に支持された背凭れ１０とを備えている。
【００１５】
図１および図２に示すように、支基６は、前後方向に延びた箱状をなし、その内部には、座７を正面側方向に向かって常時付勢する公知の付勢手段、例えば特開２００５−２１１２４４号公報に記載れているような圧縮コイルバネと、この圧縮コイルバネの付勢力を調節する調節手段（いずれも図示略）とが収容されている。なお、これらの付勢手段や調節手段は、本発明に直接関係しないので、具体的な構成および詳細な説明は省略する。
【００１６】
また、座７は、上面視で枠状をなす座フレーム１５と、この座フレーム１５に取り付けられた合成樹脂製の座板（図示略）と、座板の上面および外周面を覆うように取り付けられたクッション材１６とからなる。
【００１７】
そして、座フレーム１５の前部および後部には、上向きに傾斜されるとともに座フレーム１５の下方に離間されて前後に延びる両側部を有する角環状の支持環１７の前部と後部とがそれぞれ固着されている。また、支持環１７の前方の中間部は、支基６に設けられた圧縮コイルバネによって、正面側方向に付勢されている。また、支持環１７の両側部の後部は、背凭れ支持杆９の軸８よりやや後方に設けられた座支持部３０に回動可能に連結されており、背凭れ１０が背凭れ支持杆９とともに背面側方向に傾斜されると、座７の後部が背面側下方へ移動されるようになっている。
【００１８】
この座７の後部の移動に伴って、支持環１７が圧縮コイルバネによる付勢力に抗して、背面側下方に摺動され、座７の前部も背面側下方に移動される。このようにすることで、圧縮コイルバネの付勢力よる背凭れ１０の正面側方向への復帰回動力と、座７の正面側上方への復帰力とが得られて、着座者にとっての座り心地が向上する。
【００１９】
また、背凭れ支持杆９は、図２に示すように、前後方向に延設されるとともに後方側が上方に湾曲されている。この背凭れ支持杆９の前端部には、軸８が固着される軸孔８’が形成されている。そして、軸孔８’を介して背凭れ支持杆９と支基６とが枢着されることで、背凭れ支持杆９が軸８を中心として上下方向に回動可能になっている。
【００２０】
また、背凭れ支持杆９の軸孔８’よりも若干後方の外側面には、座支持部３０が上方に向けて突出され略三角形状をなすように形成されている。そして、座支持部３０の上端部には、上述の支持環１７が枢着される支持軸孔３１が形成されている。なお、座支持部３０よりも後方の背凭れ支持杆９の外側面には側面視で略方形をなし内方側に延設された凹状のオプション支持部３２が設けられており、このオプション支持部３２には、椅子１のオプションとして肘掛やメモ台等を支持するオプション支持杆（いずれも図示略）を取り付けることができるようになっている。
【００２１】
さらに、図４に示すように、背凭れ支持杆９の後方の先端部には、後述の下側支持フレーム２２の係合凹部３３と係合可能な凸状の係合凸部３４が形成されている。また、図５に示すように、係合凸部３４の上端部には、下方側に比べて上方側の幅が漸次小となるように対向する傾斜面からなる第１斜面部３５が形成されている。さらに、この第１斜面部の前後方向の中央部には、この１斜面部よりも傾斜角の大きい第２斜面部３６が設けられている。そして、第１斜面部３５内であって第１斜面部３５より外側方寄りには、図６に示すように、上下方向に貫通して後述の貫通ボルト４０が挿通可能な貫通孔４１が延設されている。
【００２２】
図１に示すように、背凭れ１０は、前後方向に連通する開口面が下方に向けて漸次若干狭幅となる略方形枠状をなす硬質合成樹脂製の背凭れフレーム１８と、この背凭れフレーム１８の開口面の正面側に張設された張材１９とからなる。また、張材１９は、メッシュ材が方形に加工されて、上下左右に緊張された状態で開口面に張設されている。なお、張材１９は、メッシュ材以外の材質、例えば、織布、帆布等からなってもよい。また、背凭れフレーム１８の開口面に、着座者の腰部を支持するランバーサポート４２等を取り付けてもよい。また、張材１９に替えて、板状の板部材で背面側が支持されたクッション材を背凭れフレーム１８の開口部分に配置してもよい。
【００２３】
また、背凭れフレーム１８は、上下方向の中央よりやや下方の部分が正面側に突出するように緩やかに屈曲する左右一対の横側支持フレーム２０、２０と、背面側に緩やかに突出するように湾曲する形状をなし横側支持フレーム２０、２０の上端部同士を連結する上側支持フレーム２１と、背面側下方に突出するように湾曲する形状をなし横側支持フレーム２０、２０の下端部同士を連結する下側支持フレーム２２とからなる。
【００２４】
図３に示すように、下側支持フレーム２２の左下方側および右下方側には、上述の背凭れ支持杆９の係合凸部３４と係合可能な凹状の係合凹部３３がそれぞれ形成されている。また、係合凹部３３は、下側支持フレーム２２の前方側から下方にかけて開口が形成される凹状に形成されている。そして、前方係合凹部３３の内部には、下方側に比べて上方側の幅が漸次小となるように対向する傾斜面からなり、第１斜面部に当接可能な第３斜面部３７が形成されている。さらに、この第３斜面部の前後方向の中央部には、上述の第２斜面部３６と対応する位置に、この第３斜面部３７よりも傾斜角が大きく、第１斜面部に当接可能な第４斜面部３８が設けられている。また、係合凹部３３と係合凸部３４とが左右方向および前後方にそれぞれ若干の余裕をもって係合されるように、すなわち係合凹部３３と係合凸部３４が遊嵌状態で凹凸嵌合されうるように、第３斜面部３７および第４斜面部３８は、第１斜面部３５および第２斜面部３６に対してそれぞれ若干大きく形成されている。
【００２５】
そして、図６に示すように、第４斜面部３８内であって第４斜面部３８よりも外側方寄りには、上述の背凭れ支持杆９の貫通孔４１に対応する位置に下側支持フレーム２２の内方に向けて、後述の貫通ボルト４０が締結される雌ネジ部３９が延設されている。
【００２６】
図４に示すように、椅子１の組み立て作業において、下方位置に係合凹部３３が設けられた背凭れフレーム１８と背凭れ支持杆９とを組み合わせる際には、まず、支基６の左右にそれぞれ背凭れ支持杆９を枢着させる。
【００２７】
そして、背凭れ支持杆９の後端部の係合凸部３４に背凭れフレーム１８の係合凹部３３が被さるように、背凭れフレーム１８を背凭れ支持杆９の後端部に上方から載置する。これにより、第２斜面部３６が第４斜面部３８に係止されることで、背凭れフレーム１８が背凭れ支持杆９からずれ落ちることなく仮固定される。なお、係合凹部３３と係合凸部３４とが前後方向や左右方向に若干ずれた状態で背凭れフレーム１８が背凭れ支持杆９に載置されても、第１斜面部３５と第３斜面部３７とがそれぞれ摺動するとともに、第２斜面部３６と第４斜面部３８とがそれぞれ摺動するので、係合凹部３３と係合凸部３４とは容易に凹凸係合される。
【００２８】
その後、背凭れ支持杆９の下方から貫通孔４１に貫通ボルト４０を挿入しつつ、背凭れフレーム１８を背凭れ支持杆９に対して前後方向または左右方向に傾動させて、背凭れフレーム１８を背凭れ支持杆９に対して固定するための正位置に合わせ、貫通ボルト４０を背凭れフレーム１８の雌ネジ部３９に締結させる。さらに、背凭れ支持杆９と支基６との固定部を増し締めしたうえで、貫通ボルト４０は増し締めされる。
【００２９】
そして、この貫通ボルト４０が完全に締結されると、第２斜面部３６と第４斜面部３８との間にはクリアランスが生じる一方で、第１斜面部３５は第３斜面部３７に全面で密着されることで、背凭れフレーム１８と背凭れ支持杆９とが第１斜面部３５および第３斜面部３７の面結合により強固に固定される。
【００３０】
このように、背凭れフレーム１８を背凭れ支持杆９に対して仮固定するためのガイド突起として、第２斜面部３６を利用できる。なおかつ、第１斜面部３５および第３斜面部３７を背凭れ支持杆９に背凭れフレーム１８を取り付ける際の位置決め面として利用できる一方で、上述のクリアランスの範囲で第１斜面部３５と第３斜面部３７とを摺動させて、第１斜面部３５に第３斜面部３７が確実に当接させられる。よって、背凭れフレーム１８を背凭れ支持杆９に容易且つ強固に固定できるようになっている。
【００３１】
以上のように、背凭れフレーム１８（支持フレーム）は少なくとも下方位置に係合凹部３３（凹部）を備える下側支持フレーム２２を有しており、背凭れ支持杆９の先端部に形成される係合凸部３４（凸部）が、下側支持フレーム２２に形成された係合凹部に係合することによって、下側支持フレーム２２が背凭れ支持杆９に仮固定されるので、背凭れ支持杆９の先端部に形成される係合凸部３４（凸部）と下側支持フレーム２２に形成された係合凹部３３（凹部）との凹凸係合により、背凭れ支持杆９が下側支持フレーム２２を確実に仮支持して、下側支持フレーム２２が背凭れ支持杆９に対して安定的に仮固定状態になる。そのため、椅子１の組み立て工程において、脚体４に背凭れ支持杆９を連結したのち、背凭れ支持杆９に対して下側支持フレーム２２を凹凸係合させるだけで、例えばボルト止めなどの作業を簡素化できるばかりか、安全かつ正確な組み立て作業が可能となる。
【００３２】
また、下側支持フレーム２２の係合凹部３３（凹部）と背凭れ支持杆９の端部から延びる係合凸部３４（凸部）とが、少なくとも下側支持フレーム２２が背凭れ支持杆９に対して前後方向へ所定の範囲で傾動可能になるように遊嵌状態で凹凸係合されるので、下側支持フレーム２２を背凭れ支持杆９に上方から載置するにより、両者が前後方向に遊嵌された状態で凹凸係合されることになる。そのため、例えば椅子１の組み立て工程において、背凭れフレーム１８を所定の範囲で傾動調整させながらボルト止めなどの固定作業を行えるため、安全かつ正確な組み立て作業が可能となる。
【００３３】
また、係合凸部３４（凸部）が、第１斜面部３５と、該第１斜面部３５の略中央位置に設けられ該第１斜面部３５よりも傾斜角が大きい第２斜面部３６とから成り、係合凹部３３（凹部）が、第１斜面部に当接可能な第３斜面部３７と、該第３斜面部３７の略中央位置に設けられ該第３斜面部３７よりも傾斜角が大きく、第２斜面部に当接可能な第４斜面部３８とから成り、係合凹部３３と係合凸部３４とが遊嵌状態で凹凸係合されるので、係合凸部３４の第１斜面部３５と係合凹部３３の第３斜面部３７との滑り作用で両者の傾動が所定範囲で許容されるものの、係合凸部３４の第２斜面部３６と係合凹部３３の第４斜面部３８との係合で当該所定範囲以上の傾動が阻止されるため、下側支持フレーム２２を背凭れ支持杆９に対して所定の範囲で傾動調整させながら安全かつ正確な組み立て作業が可能となる。
【００３４】
また、下側支持フレーム２２の係合凹部３３（凸部）と背凭れ支持杆９の端部から延びる係合凸部３４（凸部）とが、少なくとも下側支持フレーム２２が背凭れ支持杆９に対して左右方向へ所定の範囲で移動可能になるように遊嵌状態で凹凸係合されるので、下側支持フレーム２２を背凭れ支持杆９に上方から載置する際に、下側支持フレーム２２と背凭れ支持杆９とが左右方向に若干ずれた状態であっても、両者が容易に凹凸係合され、最終固定時に両者の位置調整がされることになる。
【００３５】
また、背凭れフレーム１８に係合凹部３３を設けるとともに、背凭れ支持杆９に係合凸部３４を設けることで、 背凭れフレーム１８に係合凸部３４を設ける場合と比較して比して、 背凭れ支持杆９への応力集中が低減され、椅子１の耐久性を向上させることができる。
【００３６】
また、係合凹部３３が前方から下方にかけて凹状となるように形成されることで、 係合凹部３３を係合凸部３４に係合させる作業を容易にすることができる。
【００３７】
また、係合凹部３３と係合凸部３４とが、第１斜面部３５または第３斜面部３７に対して傾斜角の大きい第２斜面部３６と第４斜面部とを有しているので、係合凹部３３と係合凸部３４とを凹凸係合させる際に、第２斜面部３６と第４斜面部３８とがガイドとして機能するので、背凭れ支持杆９と背凭れフレーム１８との組み立て作業を容易にすることができる。また、係合凹部３３と係合凸部３４とが、各斜面部３５、３６、３７、３８を有することで、背凭れフレーム１８を背凭れ支持杆９に対して仮固定するためのガイド突起として、第２斜面部３６を利用できる。なおかつ、第１斜面部３５および第３斜面部３７を背凭れ支持杆９に背凭れフレーム１８を取り付ける際の位置決め面として利用できる一方で、上述のクリアランスの範囲で第１斜面部３５と第３斜面部３７とを摺動させて、第１斜面部３５に第３斜面部３７が確実に当接させられるので、背凭れフレーム１８を背凭れ支持杆９に容易且つ強固に固定することができる。
【００３８】
また、貫通孔４１と雌ネジ部３９とが略垂直方向に延設され、貫通ボルト４０により背凭れ支持杆９と背凭れフレーム１８とが締結されることで、 係合凹部３３と係合凸部３４を緊密に面接合させることができる。
【００３９】
以上、本発明の実施例を図面により説明してきたが、具体的な構成はこれら実施例に限られるものではなく、本発明の要旨を逸脱しない範囲における変更や追加があっても本発明に含まれる。
【００４０】
例えば、前記実施例では、係合凹部３３を２つの斜面部３７、３８により形成するとともに、これらに対応する２つの斜面部３５、３６により係合凸部３４を形成しているが、係合凹部側と係合凸部側とで相互に対応するように形状と個数が合わせられた３つ以上の斜面部により形成してもよい。
【００４１】
また、前記実施例では、係合凹部３３は、背凭れフレーム１８の下部において、前方から下方にかけて開口されて上方に向けて窪むように形成されているが、係合凹部は、背凭れフレーム１８の正面側に開口されて背面側に向けて窪むように形成されるとともに、開口の内部上面側に、第３斜面部や第４斜面部が設けられてもよい。
【００４２】
また、前記実施例では、係合凹部３３は、背凭れフレームの下側支持フレーム２２に形成されているが、係合凹部は、横側支持フレームに形成されてもよい。
【００４３】
また、前記実施例では、背凭れフレーム１８（支持フレーム）は、前後方向に連通された開口を有する枠状体に形成されており、その下方位置に係合凹部（凹部）が設けられているが、本発明の支持フレームは、本実施例の枠状体からなる背凭れフレーム１８に限らず、例えば、前後方向に閉塞された面を有する板状体に形成されてもよく、その下方位置に係合凹部が設けられても構わない。
【符号の説明】
【００４４】
１                椅子
２                キャスタ
３                脚杆
４                脚体
５                脚柱
６                支基
７                座
９                背凭れ支持杆
１０              背凭れ
１８              背凭れフレーム（支持フレーム）
２２              下側支持フレーム
３３              係合凹部（凹部）
３４              係合凸部（凸部）
３５              第１斜面部
３６              第２斜面部
３７              第３斜面部
３８              第４斜面部
３９              雌ネジ部
４０              貫通ボルト
４１              貫通孔
【図１】
2014083129.tif 000003
【図２】
2014083129.tif 000004
【図３】
2014083129.tif 000005
【図４】
2014083129.tif 000006
【図５】
2014083129.tif 000007
【図６】
2014083129.tif 000008